(57)【要約】  【課題】仕切りを必要としない包装パックを提供する。  【解決手段】包装パック１は、被収容物２を収容した複数の袋３と、複数の袋３を包装した外袋４とを具備する。袋３は、略扁平状でかつ略長方形状の袋本体部と、袋本体部の上下方向両端部に設けた凸凹状の位置ずれ防止用係合部８とを有する。  【選択図】図２
2005289385.tif 000002
【特許請求の範囲】
【請求項１】
略扁平状の袋本体部と、
この袋本体部の端部に設けられた位置ずれ防止用係合部と
を備えることを特徴とする袋。
【請求項２】
略扁平状の袋本体部と、
この袋本体部の端部にこの端部全長にわたって設けられた凸凹状の位置ずれ防止用係合部と
を備えることを特徴とする袋。
【請求項３】
略扁平状でかつ略長方形状の袋本体部と、
この袋本体部の上下方向および左右方向の少なくともいずれか一方の両端部にこの各端部全長にわたってそれぞれ設けられた凸凹状の位置ずれ防止用係合部と
を備えることを特徴とする袋。
【請求項４】
被収容物と、
この被収容物を収容した請求項１ないし３のいずれか一記載の複数の袋と、
これら複数の袋を一の袋の位置ずれ防止用係合部と他の袋の位置ずれ防止用係合部とが互いに係合するように包装した外包装材と
を具備することを特徴とする包装パック。
【請求項５】
一の袋と他の袋とが互いに交差するように位置した状態で包装されている
ことを特徴とする請求項４記載の包装パック。
【請求項６】
被収容物が食品である
ことを特徴とする請求項４または５記載の包装パック。
【発明の詳細な説明】
【技術分野】
【０００１】
本発明は、仕切りを必要としない袋および包装パックに関するものである。
【背景技術】
【０００２】
従来、例えばかつお削り節等の被収容物を収容した複数の袋と、これら複数の袋を紙製或いは樹脂製等の仕切りで上下二段に仕切って包装した外包装材である外袋とを具備した包装パックが知られている（例えば、特許文献１参照）。
【特許文献１】特開２００３−３００５５５号公報（第２頁、図１２）
【発明の開示】
【発明が解決しようとする課題】
【０００３】
しかしながら、上記従来の包装パックでは、例えば上段の袋が下段の袋の間に落ち込まないようにするために仕切りが必ず必要であるため、仕切り自体にコストがかかり、また袋を仕切りとともに外袋内に入れる包装作業に手間がかかり、さらには使用後に仕切りがごみになる等の不具合が生じる。
【０００４】
本発明は、このような点に鑑みなされたもので、仕切りを必要としない袋および包装パックを提供することを目的とする。
【課題を解決するための手段】
【０００５】
請求項１記載の袋は、略扁平状の袋本体部と、この袋本体部の端部に設けられた位置ずれ防止用係合部とを備えるものである。
【０００６】
そして、袋本体部の端部に設けられた位置ずれ防止用係合部を備えるため、例えば外包装材で包装する場合等に仕切りを必要とせず、よって、仕切り自体にコストがかかり、また複数の袋を仕切りとともに外包装材内に入れる包装作業に手間がかかり、さらには使用後に仕切りがごみになる等の不具合が生じるようなことがない。
【０００７】
請求項２記載の袋は、略扁平状の袋本体部と、この袋本体部の端部にこの端部全長にわたって設けられた凸凹状の位置ずれ防止用係合部とを備えるものである。
【０００８】
そして、袋本体部の端部にこの端部全長にわたって設けられた凸凹状の位置ずれ防止用係合部を備えるため、例えば外包装材で包装する場合等に仕切りを必要とせず、よって、仕切り自体にコストがかかり、また複数の袋を仕切りとともに外包装材内に入れる包装作業に手間がかかり、さらには使用後に仕切りがごみになる等の不具合が生じるようなことがない。
【０００９】
請求項３記載の袋は、略扁平状でかつ略長方形状の袋本体部と、この袋本体部の上下方向および左右方向の少なくともいずれか一方の両端部にこの各端部全長にわたってそれぞれ設けられた凸凹状の位置ずれ防止用係合部とを備えるものである。
【００１０】
そして、袋本体部の上下方向または左右方向の両端部にこの各端部全長にわたってそれぞれ設けられた凸凹状の位置ずれ防止用係合部を備えるため、例えば外包装材で包装する場合等に仕切りを必要とせず、よって、仕切り自体にコストがかかり、また複数の袋を仕切りとともに外包装材内に入れる包装作業に手間がかかり、さらには使用後に仕切りがごみになる等の不具合が生じるようなことがない。
【００１１】
請求項４記載の包装パックは、被収容物と、この被収容物を収容した請求項１ないし３のいずれか一記載の複数の袋と、これら複数の袋を一の袋の位置ずれ防止用係合部と他の袋の位置ずれ防止用係合部とが互いに係合するように包装した外包装材とを具備するものである。
【００１２】
そして、仕切りを必要としないため、仕切り自体にコストがかかり、また複数の袋を仕切りとともに外包装材内に入れる包装作業に手間がかかり、さらには使用後に仕切りがごみになる等の不具合が生じるようなことがない。
【００１３】
請求項５記載の包装パックは、請求項４記載の包装パックにおいて、一の袋と他の袋とが互いに交差するように位置した状態で包装されているものである。
【００１４】
そして、一の袋と他の袋とが互いに交差するように位置した状態で包装されているため、一の袋の位置ずれ防止用係合部と他の袋の位置ずれ防止用係合部とを適切に係合させることが可能である。
【００１５】
請求項６記載の包装パックは、請求項４または５記載の包装パックにおいて、被収容物が食品であるものである。
【００１６】
そして、食品を収容し複数の袋を外包装材で包装した包装パックのコスト低減等を適切に図ることが可能である。
【発明の効果】
【００１７】
請求項１に係る発明によれば、袋本体部の端部に設けられた位置ずれ防止用係合部を備えるため、例えば外包装材で包装する場合等に仕切りを必要とせず、よって、仕切り自体にコストがかかり、また複数の袋を仕切りとともに外包装材内に入れる包装作業に手間がかかり、さらには使用後に仕切りがごみになる等の不具合が生じることを防止できる。
【００１８】
請求項２に係る発明によれば、袋本体部の端部にこの端部全長にわたって設けられた凸凹状の位置ずれ防止用係合部を備えるため、例えば外包装材で包装する場合等に仕切りを必要とせず、よって、仕切り自体にコストがかかり、また複数の袋を仕切りとともに外包装材内に入れる包装作業に手間がかかり、さらには使用後に仕切りがごみになる等の不具合が生じることを防止できる。
【００１９】
請求項３に係る発明によれば、袋本体部の上下方向または左右方向の両端部にこの各端部全長にわたってそれぞれ設けられた凸凹状の位置ずれ防止用係合部を備えるため、例えば外包装材で包装する場合等に仕切りを必要とせず、よって、仕切り自体にコストがかかり、また複数の袋を仕切りとともに外包装材内に入れる包装作業に手間がかかり、さらには使用後に仕切りがごみになる等の不具合が生じることを防止できる。
【００２０】
請求項４に係る発明によれば、仕切りを必要としないため、仕切り自体にコストがかかり、また複数の袋を仕切りとともに外包装材内に入れる包装作業に手間がかかり、さらには使用後に仕切りがごみになる等の不具合が生じることを防止できる。
【００２１】
請求項５に係る発明によれば、一の袋と他の袋とが互いに交差するように位置した状態で包装されているため、一の袋の位置ずれ防止用係合部と他の袋の位置ずれ防止用係合部とを適切に係合させることができる。
【００２２】
請求項６に係る発明によれば、食品を収容し複数の袋を外包装材で包装した包装パックのコスト低減等を適切に図ることができる。
【発明を実施するための最良の形態】
【００２３】
本発明の一実施の形態を図面を参照して説明する。
【００２４】
図２において、１は包装パックで、この包装パック１は、仕切りを使用することなく、所望量の被収容物２を充填密封して収容した複数、例えば２０の袋３を１０ずつ上下二段にして１つの外包装材である外袋４で包装した２重包装状の袋詰めパック商品である。
【００２５】
なお、被収容物２は、例えばかつお節を幅数ｍｍ〜数ｃｍ程度、長さ数ｍｍ〜１ないし２ｃｍ程度、水分２１％以下（削り節パックのＪＡＳ規格）の細片に切削した食品であるかつお削り節であり、この被収容物２とこの被収容物２を収容した袋３とで食品パック５が構成されている。
【００２６】
内袋である袋３は、図１にも示すように、袋状の被収容物収容部分６を有する略扁平状の袋本体部７を備えている。
【００２７】
袋本体部７は、例えば透明な樹脂フィルム製のもので、略長方形状、例えば上下方向に長手方向を有する略矩形状に形成されている。なお、袋本体部７の被収容物収容部分６内には、例えば被収容物２として約３ｇのかつお削り節が充填密封されて収容されている。
【００２８】
そして、袋本体部７の長手方向である上下方向の両端部（シール部分）には、外袋４にて上下二段に包装された状態時に袋３の位置のずれを防止する凸凹状の位置ずれ防止用係合部８が各端部全長にわたってそれぞれ一体に設けられている。
【００２９】
凸凹状の位置ずれ防止用係合部８は、例えば袋本体部の長手方向端部に沿って並んだ複数の略半円状の半円状部分９と、隣合う半円状部分９同士を繋いだ連絡部分10とを有している。
【００３０】
一方、外袋４は、図２に示されるように、複数の袋３を一の袋である上段の袋３の下端部の位置ずれ防止用係合部８と他の袋である下段の袋３の上端部の位置ずれ防止用係合部８とが互いに係合するように包装したものである。
【００３１】
この外袋４は、例えば透明な樹脂フィルム製のもので、上下方向に長手方向を有する略直方体状に形成されている。
【００３２】
外袋４の上部内には複数（例えば１０）の上段の袋３が前後方向に並んだ状態でかつ下段の袋３上に載った状態で収容され、外袋４の下部内には複数（例えば１０）の下段の袋３が左右方向に並んだ状態で収容されている。すなわち、外袋４内には、上段の袋３と下段の袋３とが平面視で交差、例えば直交するように配置された状態で収容されている。
【００３３】
そして、被収容物２であるかつお削り節を食する場合は、例えば外袋４の上面部を開口して外袋４内から袋３を取り出し、この取り出した袋３の上端側を切り取って被収容物収容部分６を開口してこの被収容物収容部分６内からかつお削り節を出す。
【００３４】
また、図３に示すように、外袋４内では、上段の袋３の下端部の位置ずれ防止用係合部８と下段の袋３の上端部の位置ずれ防止用係合部８とが互いに係合して上段側の位置ずれ防止用係合部８の連絡部分10と下段側の位置ずれ防止用係合部８の連絡部分10とが互いに当接した状態となるため、上段の袋３の下段の袋３に対する前後方向および左右方向への位置ずれ（移動）が規制され、上段の袋３が下段の袋３の間に落ち込むようなこともない。
【００３５】
このように上記一実施の形態によれば、上段の袋３の下端部の位置ずれ防止用係合部８と下段の袋３の上端部の位置ずれ防止用係合部８との係合により上段の袋３が下段の袋３の間に落ち込むことを防ぐことができるため、従来必要であった仕切りを必要とせず、よって、仕切り自体にコストがかかり、また複数の袋を仕切りとともに外袋内に入れる包装作業に手間がかかり、さらには使用後に仕切りがごみになる等の不具合が生じることを防止できる。
【００３６】
なお、袋３は、袋本体部７の上下方向の両端部に設けられた凸凹状の位置ずれ防止用係合部８を備えたものには限定されず、例えば図４に示すように、袋本体部７の左右方向の両端部に設けられた凸凹状の位置ずれ防止用係合部８を備えたものでもよい。  そして、この図４に示す袋３の場合には、図５に示す包装パック１のように、例えば２０の袋３を１０ずつ左右二列にして一の袋である左側の袋３の右端部の位置ずれ防止用係合部８と他の袋である右側の袋３の左端部の位置ずれ防止用係合部８とが互いに係合するように外袋４で包装する。すると、この包装パック１でも、左側の袋３の右端部の位置ずれ防止用係合部８と右側の袋３の左端部の位置ずれ防止用係合部８との係合により左右の袋３のいずれか一方がいずれか他方の袋３の間に入り込むことを防ぐことができるため、従来必要であった仕切りを必要とせず、よって、仕切り自体にコストがかかり、また複数の袋を仕切りとともに外袋内に入れる包装作業に手間がかかり、さらには使用後に仕切りがごみになる等の不具合が生じることを防止できる。なお図示しないが、位置ずれ防止用係合部８を袋本体部７の上下方向の両端部および左右方向の両端部に設けてもよい。
【００３７】
また、袋３の凸凹状の位置ずれ防止用係合部８は、複数の半円状部分９を有する形状には限定されず、例えば波状或いはギザギザ状等の形状でもよく、また位置ずれ防止用係合部８を１つの凸部或いは１つの凹部等で構成するようにしてもよい。なお図示しないが、例えば位置ずれ防止用係合部８を上段の袋３の厚さに対応した凹部を上段の袋３の数と同数だけ有するような形状にしてもよい。
【００３８】
さらに、包装パック１は、複数の袋３を上下二段または左右二列にして外袋４で包装したものには限定されず、例えば複数の袋３を上下三段以上または左右三列以上並べるようにしてもよい。
【００３９】
また、袋３を包装する外包装材は、外袋４には限定されず、例えば箱或いは缶等でもよい。さらに、被収容物２は、かつお削り節等の食品には限定されず、食品以外の物でもよい。
【図面の簡単な説明】
【００４０】
【図１】本発明の袋の一実施の形態を示す正面図である。
【図２】同上袋を上下二段にして外袋で包装した包装パックを示す斜視図である。
【図３】同上袋の位置ずれ防止用係合部の係合状態を示す斜視図である。
【図４】本発明の袋の他の実施の形態を示す正面図である。
【図５】同上袋を左右二列にして外袋で包装した包装パックを示す斜視図である。
【符号の説明】
【００４１】
１    包装パック
２    被収容物
３    袋
４    外包装材である外袋
７    袋本体部
８    位置ずれ防止用係合部
【図１】
2005289385.tif 000003
【図２】
2005289385.tif 000004
【図３】
2005289385.tif 000005
【図４】
2005289385.tif 000006
【図５】
2005289385.tif 000007